(57)【要約】【課題】水滴がケース本体の係止孔から浸入することを防止できる収納ケースを実現する。【解決手段】ケース本体の開口面側に設けられた係止孔と、一端縁側に前記係止孔に係止される爪を有し前記ケース本体の開口面を覆う蓋とを具備する収納ケースにおいて、前記開口面より底面側の前記ケース本体に前記開口面に平行に設けられた係止孔と、前記ケース本体の開口面を覆う蓋と、この蓋の前記一端縁よりわずか他端縁側に前記ケース本体の底面方向に前記蓋に直交して一端が接続された爪連結板と、この爪連結板の他端に一端が接続され前記係止孔に他端が係止される爪とを具備したことを特徴とする収納ケースである。【選択図】図１
2011096771.tif 000002
【特許請求の範囲】
【請求項１】
ケース本体の開口面側に設けられた係止孔と、
一端縁側に前記係止孔に係止される爪を有し前記ケース本体の開口面を覆う蓋と
を具備する収納ケースにおいて、
前記開口面より底面側の前記ケース本体に前記開口面に平行に設けられた係止孔と、
前記ケース本体の開口面を覆う蓋と、
この蓋の前記一端縁よりわずか他端縁側に前記ケース本体の底面方向に前記蓋に直交して一端が接続された爪連結板と、
この爪連結板の他端に一端が接続され前記係止孔に他端が係止される爪と
を具備したことを特徴とする収納ケース。
【請求項２】
前記ケース本体の開口部縁に沿って設けられ頂部が閉曲線をなし頂部が前記蓋に接し断面矩形状のリブと、
このリブの前記閉曲線の内側に配置された係止孔と
を具備したことを特徴とする請求項１記載の収納ケース。
【発明の詳細な説明】
【技術分野】
【０００１】
本発明は、収納ケースに関するものである。
更に詳述すれば、水滴が係止孔から浸入することを防止できる収納ケースに関するものである。
【背景技術】
【０００２】
図４は従来より一般に使用されている従来例の要部斜視構成説明図、図５は図４の要部構成説明図である。
図において、１はケース本体、２はケース本体１の開口部縁に沿って設けられ頂部が閉曲線をなし頂部が前記蓋に接し断面矩形状のリブである。
３はケース本体１の開口部の開口面に設けられた係止孔である。
【０００３】
４はケース本体１の開口面を覆う蓋である。
５は蓋４の一端に設けられ係止孔３に係止される２個の爪である。
６は蓋４の他端側に設けられ、蓋４をケース本体１にねじ止めするファスナーである。  ７はケース本体１に収納される収納品で、この場合は、バッテリーである。
バッテリ７の出力端子は、ケース本体１の開口面の反対面に配置されている。
【先行技術文献】
【特許文献】
【０００４】
【特許文献１】実開平０６−０３８５５１号公報
【特許文献２】実開平０６−０８１２７９号公報
【特許文献３】特開平０８−２９３９０５号公報
【特許文献４】特開平１０−０６６６６６号公報
【特許文献５】特開２０００−０３１６６１号公報
【発明の概要】
【発明が解決しようとする課題】
【０００５】
このような装置においては、以下の問題点がある。
２個の爪５は、蓋４の一端に設けられており、係止孔３はケース本体１の開口面に露出していたため、水滴が係止孔から浸入することがあり、ケース本体１の内部に悪影響を与えてしまう問題があった。
【０００６】
本発明の目的は、上記の課題を解決するものであり、水滴がケース本体の係止孔から浸入することを防止できる収納ケースを提供することにある。
【課題を解決するための手段】
【０００７】
このような課題を達成するために、本発明では、請求項１の収納ケースにおいては、
ケース本体の開口面側に設けられた係止孔と、一端縁側に前記係止孔に係止される爪を有し前記ケース本体の開口面を覆う蓋とを具備する収納ケースにおいて、
前記開口面より底面側の前記ケース本体に前記開口面に平行に設けられた係止孔と、前記ケース本体の開口面を覆う蓋と、この蓋の前記一端縁よりわずか他端縁側に前記ケース本体の底面方向に前記蓋に直交して一端が接続された爪連結板と、この爪連結板の他端に一端が接続され前記係止孔に他端が係止される爪とを具備したことを特徴とする。
【０００８】
本発明の請求項２の収納ケースにおいては、請求項１記載の収納ケースにおいて、
前記ケース本体の開口部縁に沿って設けられ頂部が閉曲線をなし頂部が前記蓋に接し断面矩形状のリブと、このリブの前記閉曲線の内側に配置された係止孔とを具備したことを特徴とする。
【発明の効果】
【０００９】
本発明の請求項１によれば、次のような効果がある。
ケース本体の開口部を蓋が覆うことが出来て、且つ、係止孔はケース本体の開口面より底面側のケース本体に配置されたので、水滴が係止孔から浸入することを防止できる収納ケースが得られる。
【００１０】
本発明の請求項２によれば、次のような効果がある。
ケース本体の開口部縁に沿って隙間を保って設けられ頂部が閉曲線をなし頂部が蓋に接し断面矩形状のリブと、このリブの閉曲線の内側に配置された係止孔とが設けられたので、収納ケースの開口部と蓋との隙間を通過した水滴はリブに阻止されて、更に、水滴が浸入することを、更に、防止できる収納ケースが得られる。
【図面の簡単な説明】
【００１１】
【図１】本発明の一実施例の要部構成説明図である。
【図２】図１の斜視構成説明図である。
【図３】図１の要部構成説明図である。
【図４】従来より一般に使用されている従来例の要部構成説明図である。
【図５】図４の要部構成説明図である。
【発明を実施するための形態】
【００１２】
以下本発明を図面を用いて詳細に説明する。
図１は本発明の一実施例の要部構成説明図、図２は図１の斜視構成説明図、図３は図１の要部構成説明図である。
図において、図４と同一記号の構成は同一機能を表す。
以下、図４との相違部分のみ説明する。
【００１３】
図において、係止孔１２は、ケース本体１１の開口面１１１より底面１１２側のケース本体に、開口面に平行に設けられている。
蓋１３は、ケース本体１１の開口面１１１を覆う。
リブ１４は、ケース本体１１の開口部縁に沿って設けられ頂部１４１が閉曲線をなし、頂部１４１が蓋１３に接し断面矩形状をなす。
【００１４】
係止孔１２は、この場合は、リブ１４の閉曲線の内側に配置されている。
爪連結板１５は、蓋１３の一端縁よりわずか他端縁側に、ケース本体１１の底面１１２方向に蓋１３に直交して一端が接続されている。
爪１６は、爪連結板１５の他端に一端が接続され、係止孔１２に他端が係止される。
ファスナー１７は蓋１３の他端側に設けられ、蓋１３をケース本体１１にねじ止め固定する。
【００１５】
以上の構成において、ケース本体１１に蓋１３を取り付けるには、先ず、係止孔１２に爪１６を引っ掛け、ケース本体１１に蓋１３を配置し、ファスナー１７で、蓋１３をケース本体１１にねじ止め固定する。
ケース本体１１から蓋１３を取り外すには、上記と逆の動作を行う。
【００１６】
この結果、
ケース本体の１１の開口部を蓋１３が覆うことが出来て、且つ、係止孔１２はケース本体の開口面より底面側のケース本体１１に配置されたので、水滴が係止孔１２から浸入することを防止できる収納ケースが得られる。
【００１７】
ケース本体１１の開口部縁に沿って隙間を保って設けられ頂部１４１が閉曲線をなし頂部１４１が蓋１３に接し断面矩形状のリブ１４と、このリブ１４の閉曲線の内側に配置された係止孔１２とが設けられたので、ケース本体１１の開口部と蓋１３との隙間を通過した水滴はリブ１４に阻止されて、水滴が浸入することを、更に、防止できる収納ケースが得られる。
【００１８】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【符号の説明】
【００１９】
１      ケース本体
２      リブ
３      係止孔
４      蓋
５      爪
６      ファスナー
７      収納品
７      バッテリー
１１    ケース本体
１１１  開口面
１１２  底面
１２    係止孔
１３    蓋
１４    リブ
１４１  頂部
１５    爪連結板
１６    爪
１７    ファスナー
【図１】
2011096771.tif 000003
【図２】
2011096771.tif 000004
【図３】
2011096771.tif 000005
【図４】
2011096771.tif 000006
【図５】
2011096771.tif 000007